(57)【要約】【課題】  容易に製造可能であり、意匠性や止水性、及び排水流量を向上させた排水栓装置の提供を課題とする。【解決手段】  槽体Ｂの底部に凹設された排水凹部１と、排水凹部１より下方に向けて延設された排水筒部２と、排水筒部２内に配置されて排水口３４を形成する排水栓３と、上下動することによって排水口３４を開閉する弁体６から成り、上記弁体６は、排水栓３を覆う蓋部６１を有するとともに、当該蓋部６１は弁体６の下降時において上記排水凹部１内に配置される。従って、蓋部６２は排水栓３の鍔部３２や排水筒部２よりも大径に形成することが可能であるため、容易に排水栓３の外縁を覆い隠すことが可能となる。【選択図】図２
2018025023.tif 000002
【特許請求の範囲】
【請求項１】
槽体の底部に凹設された排水凹部と、
排水凹部より下方に向けて延設された排水筒部と、
排水筒部内に配置されて排水口を形成する排水栓と、
上下動することによって排水口を開閉する弁体から成り、
上記弁体は、排水栓を覆う蓋部を有するとともに、当該蓋部は弁体の下降時において上記排水凹部内に配置されることを特徴とする排水栓装置。
【請求項２】
前記排水栓上端の外径は排水筒部の内径と略同一であるとともに、
前記排水凹部の内径は排水筒部の内径よりも大径であることを特徴とする請求項１に記載の排水栓装置。
【請求項３】
前記蓋部は、
排水栓の外縁と同径又は大径であって、
弁体の下降時において、排水凹部の底面よりも上方に配置されることを特徴とする請求項１請求項２のいずれか１つに記載の排水栓装置。
【請求項４】
前記蓋部は、
弁体の下降時において、槽体の底面と略同一高さとなることを特徴とする請求項１乃至請求項３のいずれか１つに記載の排水栓装置。
【発明の詳細な説明】
【技術分野】
【０００１】
本発明は、洗面ボウルやシンク、浴槽等の槽体の底面に形成された排水口の開閉を行う排水栓装置に関するものである。
に関するものである。
【背景技術】
【０００２】
従来の排水栓装置としては、槽体の底面に形成された開口と、当該開口の内周が下方に向けて延設されることによって形成された排水筒部と、当該排水筒部に取り付けられて排水口を形成する排水栓と、排水口を開閉する弁体から成る排水栓装置が知られている。排水栓は外周に雄螺子部を有するとともに、上端外周から外側に向けて鍔部が形成されており、槽体裏面に配置されたナット部材等に形成された雌螺子部と螺合されることで、鍔部がパッキンを介して槽体底面の開口周縁を境持することによって取り付けられている。
上記排水栓装置は、鍔部と排水筒部との隙間に水垢や塵芥等の汚れが堆積し、非常に見栄えが悪いという問題があった。
【０００３】
そこで、特許文献１に記載の排水栓装置においては、排水筒部内に配置された弁体が、排水栓が露出しないように覆うことで汚れを隠し、上記問題を解決している。
【先行技術文献】
【特許文献】
【０００４】
【特許文献１】特開２０１１−２４１６６５号公報
【発明の概要】
【発明が解決しようとする課題】
【０００５】
上記特許文献１に記載の排水栓装置は、排水栓の鍔部と排水筒部との間に隙間を形成してしまうと、当該隙間に水垢や塵芥等が堆積してしまうことから、鍔部の外径と排水筒部の内径は略同一となる様に形成される。又、上述の通り、弁体は排水筒部内に配置されるものであるから、弁体の外径は排水筒部の内径よりも小径でなければならない。一方、特許文献１は弁体によって鍔部を覆い隠す構造であることから、弁体の外径は鍔部の外径よりも大径である必要がある。即ち、特許文献１に記載の排水栓装置は「鍔部の外径≒排水筒部の内径」、且つ「鍔部の外径≦弁体の外径≦排水筒部の内径」を満たす必要がある。従って、鍔部の外径と排水筒部の内径、及び弁体の外径はそれぞれ略同一でなければならず、製造には高い精度が必要であった。又、鍔部の外径と弁体の外径が略同一であることから、角度によっては鍔部が見えてしまうことがあり、弁体によって十分に鍔部を覆い隠すことができているとは言えなかった。
又、上記排水装置は、弁体の外径と排水筒部の内径が略同一であることから、弁体の上昇時に何らかの衝撃が加わる等して弁体が少しでも傾斜した場合、下降時に弁体が排水筒部内に配置されず、止水不良となる問題が生じた。
更に、上記排水装置は、弁体の外径と排水筒部の内径が略同一であることから、弁体の周囲に隙間がほとんど存在せず、弁体上昇時の排水流量が非常に悪いという問題があった。
【０００６】
本発明は上記問題に鑑み、容易に製造可能であり、意匠性や止水性、及び排水流量を向上させた排水栓装置の提供を課題とする。
【課題を解決するための手段】
【０００７】
上記課題を解決するための請求項１に記載の本発明は、槽体の底部に凹設された排水凹部と、
排水凹部より下方に向けて延設された排水筒部と、
排水筒部内に配置されて排水口を形成する排水栓と、
上下動することによって排水口を開閉する弁体から成り、
上記弁体は、排水栓を覆う蓋部を有するとともに、当該蓋部は弁体の下降時において上記排水凹部内に配置されることを特徴とする排水栓装置である。
【０００８】
請求項２に記載の本発明は、前記排水栓上端の外径は排水筒部の内径と略同一であるとともに、
前記排水凹部の内径は排水筒部の内径よりも大径であることを特徴とする請求項１に記載の排水栓装置である。
【０００９】
請求項３に記載の本発明は、前記蓋部は、
排水栓の外縁と同径又は大径であって、
弁体の下降時において、排水凹部の底面よりも上方に配置されることを特徴とする請求項１請求項２のいずれか１つに記載の排水栓装置である。
【００１０】
請求項４に記載の本発明は、前記蓋部は、
弁体の下降時において、槽体の底面と略同一高さとなることを特徴とする請求項１乃至請求項３のいずれか１つに記載の排水栓装置である。
【発明の効果】
【００１１】
請求項１に記載の本発明によれば、上記特許文献１と比較し、排水栓装置を容易に製造可能であり、意匠性や止水性、及び排水流量を向上させることが可能となる。
請求項２又は請求項３に記載の本発明によれば、弁体の下降時に排水凹部内に配置された蓋部によって排水筒部を覆うことが可能となるため、排水栓を確実に覆い隠すことが可能となる。
請求項４に記載の本発明によれば、槽体が洗面ボウルの場合などにおいては、弁体の下降時に、蓋部の上方にヤカンや洗面器等を載置することが容易となる。又、槽体が浴槽の場合等においては、弁体の下降時において、弁体に脚を引っ掛けたりすることが防止できる。
【図面の簡単な説明】
【００１２】
【図１】本発明の実施形態を示す断面図である。
【図２】本発明の要部を示す断面図である。
【図３】図２より弁体を除いた状態を示す断面図である。
【図４】弁体を示す断面図である。
【図５】第二実施形態を示す断面図である。
【図６】第三実施形態を示す断面図である。
【図７】第四実施形態を示す断面図である。
【発明を実施するための形態】
【００１３】
以下、図面を参照しながら本発明の排水トラップ１を説明する。尚、以下に記載する説明は実施形態の理解を容易にするためのものであり、これによって発明が制限して理解されるものではない。
【００１４】
以下に、本発明の第一実施形態について図１乃至図５を用いて説明する。尚、第一実施形態に係る槽体Ｂは洗面ボウルである。
【００１５】
図１に示すように、槽体Ｂは断面視箱状であって、底部には排水凹部１が凹設され、当該排水凹部１の中央には排水筒部２が形成されている。
排水凹部１は槽体Ｂ底部を凹状に窪ませることによって形成され、その内径は後述する弁体６の弁蓋６１の外径よりも大径である。尚、図３等に記載された上端高さＨは、排水凹部１の上縁部分を示しており、排水凹部１外端に形成された円弧の上端を繋いだ高さである。
排水筒部２は排水凹部１の中央に形成された開口より下方に向けて延設された筒状部分であり、その下端には内向きに突出するフランジ部２１が形成されており、当該フランジ部２１は排水栓３とナット５によって挟持されている。
排水栓３は内部に排水流路を形成する中空且つ円筒状の排水配管であって、円筒状の筒部３１と、筒部３１上端外周から外側に向けて形成された鍔部３２から構成されている。筒部３１は上方側面において、槽体Ｂの側面に形成された図示しないオーバーフロー孔からの排水流路が合流する窓部３３が開口しており、オーバーフローアダプター４が周囲に取り付けられている。又、筒部３１は窓部３３下方において、外周に雄螺子が形成されており、ナット５の雌螺子と螺合されている。尚、鍔部３２の外径は排水筒部２の内径と略同一であって、パッキンやオーバーフローアダプター４を介し、ナット５と鍔部３２とでフランジ部２１を挟持することによって排水栓３を槽体Ｂに固定している。
ここで、当該排水栓３の取り付け状態において、排水栓３の上端は排水筒部２の上端、即ち排水凹部１底面と略同一の高さとなる。そして、排水栓３の内部に形成された排水流路は、その上端が排水口３４として機能し、槽体Ｂ内部に吐水された湯水や毛髪等を、下端に取り付けられた配管１００を通じて下水へと排出する。
【００１６】
図４に示すように、弁体６は排水口３４の開閉を行う弁蓋６１と、弁蓋６１の裏面に取り付けられた弁軸６３、塵芥を補足する目皿６４から構成されている。
弁蓋６１は、排水栓３を覆う蓋部６２と、蓋部６２下方に形成された、周囲にパッキン７が嵌着された弁蓋下部６１１から構成された止水部材である。
図２に示すように、蓋部６２はその外径が鍔部３２の外径及び排水筒部２の内径よりも大径且つ排水凹部１の内径よりも小径であり、弁体６の下降時において排水栓３及び排水栓３と排水筒部２との隙間を全て覆い隠すことができる。尚、弁体６の下降時において、蓋部６２（特に蓋部６２の最も大径となる部分）は排水凹部１内に配置されるが、図２に示すように、本発明においては蓋部６２の外縁が排水凹部１の上端高さＨよりも下方に位置することが好ましい。このように配置することにより、槽体Ｂの底面上に載置された物体等が蓋部６２に引っ掛かってしまうことが無く好適である。
弁蓋下部６１１は弁蓋６１の内、上記蓋部６２より下方に形成された部分であって、周囲にパッキン７が嵌着されており、上記蓋部６２よりも小径となるよう形成されている。尚、弁蓋下部６１１は上記弁体６の下降時において、排水栓３の内側に配置されるとともに、パッキン７は排水口３４の周縁に当接し、排水口３４を閉塞する。
弁軸６３は金属製の軸部材であり、目皿６４の中心を貫通しているとともに、上端が弁蓋６１の裏面に嵌合されている。又、弁軸６３の下端は伝達部８端部と接続された昇降部９１上に載置されている。
【００１７】
伝達部８は樹脂製のチューブ体であるアウターチューブと、アウターチューブ内に配置された金属製の撚り線であるインナーワイヤより成る公知のレリースワイヤである。伝達部８は操作部９に加えられた操作に伴いインナーワイヤがアウターチューブ内を摺動することによって昇降部９１を作動させ、昇降部９１上に載置されている弁体６を昇降させる構造となっている。
【００１８】
操作部９は槽体Ｂの縁部に取り付けられており、端部にはインナーワイヤが接続されている。従って、操作部９に押し引き操作を加えることによって上記インナーワイヤを進退させ、遠隔的に弁体６を昇降させることが可能となる。
【００１９】
上記各部材から成る排水栓装置は以下のように動作する。
【００２０】
図２に示すように、弁体６が下降している状態において、弁蓋６１の蓋部６２は排水凹部１内に配置される。この時、弁蓋下部６１１は排水栓３内に配置されるとともに、弁蓋下部６１１の周囲に嵌着されたパッキン７は排水口３４の周縁と当接することで排水口３４を閉塞しており、槽体Ｂは内部に水栓からの吐水等を貯留することができる。又、弁蓋６１の上端は、排水凹部１の上端高さＨと略同一の高さとなっているとともに、蓋部６２は排水栓３及び排水栓３と排水筒部２との間を全て覆っている。又、蓋部６２の外縁は排水凹部１の上端高さＨよりも下方に配置されている。
上記弁体６の下降状態より、操作部９に操作を加えると、昇降部９１が駆動することによって弁体６が押し上げられる。この時、図２において破線で示すように、上記パッキン７が排水口３４周縁から離間することによって排水口３４が開放され、槽体Ｂ内部の吐水等を排出することが可能となる。
【００２１】
上記本発明の排水栓装置においては、弁蓋６１の蓋部６２、特に蓋部６２の最も大径となる部分は弁体６の下降時において排水凹部１内に配置されている。従って、蓋部６２は排水栓３の鍔部３２や排水筒部２よりも大径に形成することが可能であるため、容易に排水栓３の外縁を覆い隠すことが可能となる。又、蓋部６２と排水凹部１との間には十分な隙間が形成されているため、弁体６を上昇させた際の排水流量を向上させることが可能となる。
【００２２】
本発明の第一実施形態は以上であるが、本発明は上記第一実施形態の形状に限られるものではなく、発明の主旨を逸脱しない範囲において種々の形状変更を加えても良いものである。例えば、第一実施形態において、排水凹部１は平面視略円形であるが、楕円や矩形等種々の形状を成しても良いものである。更に、弁蓋６１（特に蓋部６２）の形状についても、平面視楕円や矩形等種々の形状を成しても良いものである。本発明では、弁蓋６１は弁体６の下降時に排水凹部１内に配置されることから、排水凹部１の内周面に当接しない範囲内において自由に意匠を変更することが可能となる。
又、上記第一実施形態において、排水凹部１の内径は弁体６の弁蓋６１の外径よりも大径であったが、図５に示す第二実施形態の様に、排水凹部１の内径と弁体６の外径が略同径であっても良い。この場合においては、弁体６と排水凹部１の間の隙間が極僅かとなるため、槽体Ｂと弁体６の間に一体感を生じさせることが可能となり、更に意匠性が向上する。
又、上記第一実施形態において、排水凹部１は段状に形成された円筒状であったが、図６に示す第三実施形態の様に、排水凹部１を傾斜面より形成された円錐状に形成しても良いものである。尚、この場合においては、排水筒部２を垂設する、又は排水筒部２の内周面を排水凹部１の内周面よりも垂直に近付けることにより、意匠性や排水流量が向上する。
又、図７に示す第四実施形態の様に、排水凹部１に化粧板２００を載置しても良い。
【符号の説明】
【００２３】
１      排水凹部
２      排水筒部
２１    フランジ部
３      排水栓
３１    筒部
３２    鍔部
３３    窓部
３４    排水口
４      オーバーフローアダプター
５      ナット
６      弁体
６１    弁蓋
６１１  弁蓋下部
６２    蓋部
６３    弁軸
６４    目皿
７      パッキン
８      伝達部
９      操作部
９１    昇降部
１００  配管
２００  化粧板
Ｂ      槽体
Ｈ      上端高さ
【図１】
2018025023.tif 000003
【図２】
2018025023.tif 000004
【図３】
2018025023.tif 000005
【図４】
2018025023.tif 000006
【図５】
2018025023.tif 000007
【図６】
2018025023.tif 000008
【図７】
2018025023.tif 000009
【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
槽体の底部に凹設された排水凹部と、
排水凹部より下方に向けて延設された排水筒部と、
排水筒部内に配置されて排水口を形成する排水栓と、
上下動することによって排水口を開閉する弁体から成り、
上記弁体は、弁体の下降時において、排水栓と、排水栓と排水筒部との隙間を全て覆い隠す蓋部と、蓋部下方に形成された、パッキンが嵌着された弁蓋下部を有するとともに、パッキンが排水栓の排水口の周縁と当接することで排水口を閉塞し、
当該蓋部は弁体の下降時において上記排水凹部内に配置されることを特徴とする排水栓装置。
【請求項２】
前記排水栓上端の外径は排水筒部の内径と略同一であるとともに、
前記排水凹部の内径は排水筒部の内径よりも大径であることを特徴とする請求項１に記載の排水栓装置。
【請求項３】
前記蓋部は、
排水栓の外縁と同径又は大径であって、
弁体の下降時において、排水凹部の底面よりも上方に配置されることを特徴とする請求項１請求項２のいずれか１つに記載の排水栓装置。
【請求項４】
前記蓋部は、
弁体の下降時において、槽体の底面と略同一高さとなることを特徴とする請求項１乃至請求項３のいずれか１つに記載の排水栓装置。
【手続補正２】
【補正対象書類名】明細書
【補正対象項目名】０００１
【補正方法】変更
【補正の内容】
【０００１】
本発明は、洗面ボウルやシンク、浴槽等の槽体の底面に形成された排水口の開閉を行う排水栓装置に関するものである。
【手続補正３】
【補正対象書類名】明細書
【補正対象項目名】０００７
【補正方法】変更
【補正の内容】
【０００７】
上記課題を解決するための請求項１に記載の本発明は、槽体の底部に凹設された排水凹部と、
排水凹部より下方に向けて延設された排水筒部と、
排水筒部内に配置されて排水口を形成する排水栓と、
上下動することによって排水口を開閉する弁体から成り、
上記弁体は、弁体の下降時において、排水栓と、排水栓と排水筒部との隙間を全て覆い隠す蓋部と、蓋部下方に形成された、パッキンが嵌着された弁蓋下部を有するとともに、パッキンが排水栓の排水口の周縁と当接することで排水口を閉塞し、
当該蓋部は弁体の下降時において上記排水凹部内に配置されることを特徴とする排水栓装置である。
【手続補正４】
【補正対象書類名】明細書
【補正対象項目名】００１３
【補正方法】変更
【補正の内容】
【００１３】
以下、図面を参照しながら本発明の排水栓装置を説明する。尚、以下に記載する説明は実施形態の理解を容易にするためのものであり、これによって発明が制限して理解されるものではない。